(57)【特許請求の範囲】
【請求項１】
種々の取引を行う自動取引装置と、情報の送受信が可能な端末と、前記自動取引装置と前記端末を接続する接続システムとからなる現金自動取引システムにおいて、
前記自動取引装置は情報の送受信が可能な通信手段を備え、該自動取引装置を特定するための特定情報を記憶部に保持していて、
送金処理を行う場合に、払込人の端末を指定するための端末指定情報を受取人が前記自動取引装置に入力すると、前記記憶部から前記特定情報が読み出され、前記端末指定情報と前記特定情報に基づいて、前記接続システムが前記自動取引装置と前記端末の接続を確立し、
払込人に受取人を確認させるための認識情報を前記自動取引装置により取得して、該自動取引装置から前記端末に送信すると、払込人は前記端末により前記認識情報を受信して、受取人を確認してから口座情報を前記端末に入力し、該口座情報を前記自動取引装置に送信して、前記自動取引装置に支払い処理を行わせることを特徴とする現金自動取引システム。
【請求項２】
請求項１において、
前記端末が携帯電話であることを特徴とする現金自動取引システム。
【請求項３】
請求項１において、
前記認識情報が暗証番号であることを特徴とする現金自動取引システム。
【請求項４】
請求項１において、
前記自動取引装置は受取人の声を取得する音声取得部を備え、
前記端末は前記音声取得部により取得された受取人の声を再生する音声再生部を備え、
前記音声取得部が認識情報として受取人の声を取得し、取得した受取人の声を前記自動取引装置から前記端末に送信し、前記音声再生部により前記受取人の声を再生して払込人に受取人を確認させることを特徴とする現金自動取引システム。
【請求項５】
請求項１において、
前記自動取引装置は受取人の画像を取得する画像取得部を備え、
前記端末は前記受取人の画像を表示する表示部を備え、
前記画像取得部が認識情報として受取人の画像を取得し、取得した受取人の画像を前記自動取引装置から前記端末に送信し、前記表示部により前記受取人の画像を再生して払込人に受取人を確認させることを特徴とする現金自動取引システム。
【発明の詳細な説明】
【０００１】
【発明の属する技術分野】
本発明は、自動取引装置を用いた現金自動取引システムに関するものであり、特に送金処理に関するものである。
【０００２】
【従来の技術】
従来の自動取引装置（以下、ＡＴＭとする。）を用いた送金処理について図５を用いて以下に説明する。
すなわち、払込人と受取人がそれぞれ金融機関に口座を有している場合には、払込人はＡＴＭを用いて、自分の口座の預金を受取人の金融機関の口座に振り替える入金処理を行っていた（以下、この処理を振替とする）。
【０００３】
一方、払込人が金融機関に口座を持っていない場合には、金融機関の窓口を介して、受取人の口座に現金を振り込む入金処理を行っていた（以下、この処理を振込とする）。
そして、受取人は、上述した振替および振込によって自分の口座に現金が入金されたか否かを知るために入金確認を行って、入金されていた場合には出金取引により現金を受け取っていた。
【０００４】
しかしながら、このような従来の送金処理では、払込人および受取人が、それぞれ金融機関に出向いて、入金処理または入金確認、出金取引を行わなければならず、処理が煩雑であった。
さらに、受取人が金融機関に口座を所有していなければ、送金することができない問題があった。
【０００５】
【発明が解決しようとする課題】
そこで、本発明では、送金処理を容易に行えるようにすると共に、金融機関の口座を持たない受取人に現金の払い出しを可能にすることを目的とする。
【０００６】
【課題を解決するための手段】
種々の取引を行う自動取引装置と、情報の送受信が可能な端末と、前記自動取引装置と前記端末を接続する接続システムとからなる現金自動取引システムにおいて、前記自動取引装置は情報の送受信が可能な通信手段を備え、該自動取引装置を特定するための特定情報を記憶部に保持していて、送金処理を行う場合に、払込人の端末を指定するための端末指定情報を受取人が前記自動取引装置に入力すると、前記記憶部から前記特定情報が読み出され、前記端末指定情報と前記特定情報に基づいて、前記接続システムが前記自動取引装置と前記端末の接続を確立し、払込人に受取人を確認させるための認識情報を前記自動取引装置により取得して、該自動取引装置から前記端末に送信すると、払込人は前記端末により前記認識情報を受信して、受取人を確認してから口座情報を前記端末に入力し、該口座情報を前記自動取引装置に送信して、前記自動取引装置に支払い処理を行わせることを特徴とする。
【０００７】
【発明の実施の形態】
第１の実施の形態
以下に、図１を用いて第１の実施の形態における現金自動取引システムの構成を説明する。
図１において、１は入出金取引など種々の取引を行うＡＴＭ、２は携帯電話やパソコン等の端末であり、接続システム３を介してＡＴＭ１に接続している。
【０００８】
ＡＴＭ１は、取引に必要な情報の入力を受け付ける入力部６、入力された情報や、操作の誘導文言などを表示する表示部７、現金の支払い処理を行う支払い処理部８、ＡＴＭ１を特定するための情報（以下、ＡＴＭ特定情報とする。）などの種々の情報を保持しておく記憶部９、情報の送信を行う送信部１１と情報の受信を行う受信部１２とから成る通信手段１３、上述した各構成部の制御を司る制御部１４とから構成される。
【０００９】
端末２は、入力を受け付ける入力部２１、入力された情報や、操作の誘導文言などを表示する表示部２２、情報の送信を行う送信部２３と情報の受信を行う受信部２４とから成る通信手段２５、上述した各構成部の制御を司る制御部２６とから構成される。
接続システム３は、電話回線、インターネット回線、Ｗｅｂサーバ、Ｗｅｂブラウザ等の通信手段と、ＡＴＭ１と端末２のそれぞれの接続先を特定し、接続を確立する接続先特定部３０とから構成される。
【００１０】
以下に上述した構成による作用について図２を用いて説明する。
なお、本実施の形態では、端末２を、例えば、携帯電話として説明する。
図２は本発明における送金処理を示すフローチャートである。
すなわち、現金の受取人はＡＴＭ１に出向き、表示部７に表示されている取引項目から現金の受取りを選択すると共に、入力部６により払込人の携帯電話番号を入力する。
【００１１】
なお、払込人の端末２を指定するための携帯電話番号等の情報を端末指定情報とする。
ＡＴＭ１に端末指定情報である電話番号が入力されると、ＡＴＭ１の送信部１１により、端末２にＡＴＭ１との接続要求が送信される（Ｓ２０１）。
ＡＴＭ１からの接続要求を受信部２４により受信した端末２は、送信部２３により接続システム３の接続先特定部３０に、接続要求の受信報告を送信する（Ｓ２０２）。
【００１２】
さらに、ＡＴＭ１では、ＡＴＭ特定情報が記憶部９から読み出され、接続システム３の接続先指定部３０にＡＴＭ特定情報が送信される（Ｓ２０３）。
ＡＴＭ１から送信されたＡＴＭ特定情報と、端末２から送信された接続要求の受信報告を受信した接続システム３は、接続先特定部３０によりＡＴＭ１と端末２の接続先を特定し（Ｓ２０４）、接続を確立する（Ｓ２０５）。
【００１３】
そして、あらかじめ払込人と受取人とにより決められていた暗証番号の入力を促す文言等がＡＴＭ１の表示部７に表示され、受取人が暗証番号を入力部６により入力すると（Ｓ２０６）、暗証番号が送信部１１により接続システム３を介して端末２に送信される（Ｓ２０７）。
なお、（Ｓ２０６）において、入力される暗証番号は、払込人が受取人を確認するために用いる認識情報であり、本実施の形態では暗証番号を例として説明する。
【００１４】
ＡＴＭ１から送信された暗証番号を受信部２４により受信した端末２は、受信した暗証番号を表示部２２に表示する（Ｓ２０８）。
払込人は、表示部２２に表示された暗証番号を確認して（Ｓ２０９）、その暗証番号が受取人との間で決めた暗証番号と同一である場合には、入力部２１により、例えば、口座番号、送金する金額等の口座情報を入力する（Ｓ２１０）。
【００１５】
入力された口座情報は、送信部２３により接続システム３を介してＡＴＭ１の受信部１２に送信され（Ｓ２１１）、支払処理部８から受取人に現金が支払われる（Ｓ２１２）。
なお、（Ｓ２０９）において、表示部２２に表示された暗証番号が受取人との間で決められた暗証番号と異なる場合には、取引は中止される（Ｓ２１３）。
【００１６】
このように、第１の実施の形態によれば、払込人により遠隔操作されたＡＴＭ１が受取人に現金を払い出すため、容易に送金処理を行うことができる。
さらに、金融機関に口座を持たない受取人に対しても送金処理を行うことができる。
なお、ＡＴＭ１と端末２の接続の確立は、上述した処理に限定されず、例えば、以下に説明する処理でもよい。
【００１７】
すなわち、受取人が端末指定情報として電話番号を入力すると、ＡＴＭ１が記憶部９に保持されているＡＴＭ特定情報を読み出して、接続システム３に端末２の電話番号とＡＴＭ特定情報を送信する。
ＡＴＭ１から端末２の電話番号とＡＴＭ特定情報を受信した接続システム３は、ＡＴＭ１により指定された端末２にアクセスし、接続を要求する。
【００１８】
そして、端末２から接続要求の受信報告が接続システム３に送信されると、ＡＴＭ１と端末２の接続を確立する。
第２の実施の形態
第２の実施の形態は、払込人が受取人を確認するための認識情報を音声にしたものである。
【００１９】
図３は第２の実施の形態における現金自動取引システムの構成を示す説明図である。
図３に示すように、第２の実施の形態の構成は、第１の実施の形態の構成において、ＡＴＭ１に音声取得部３５を、端末２に音声再生部３６をそれぞれ加えたものである。
【００２０】
音声取得部３５は、例えば、マイクなどの集音機であり、受取人の声を取得するものである。
音声再生部３６は、例えば、スピーカーなどの音声再生機であり、音声取得部３５により取得された受取人の声を再生するものである。
以下に、上述した構成による本実施の形態の作用について説明する。
【００２１】
すなわち、図２に示すフローチャートにおいて、（Ｓ２０５）の受取人と払込人の接続が確立された後、ＡＴＭ１の表示部７に表示された操作誘導に従って、受取人は声を発する。
受取人が発した声は、音声取得部３５により取得され、送信部１１により端末２に送信される。
【００２２】
端末２の受信部２４は、ＡＴＭ１から送信された受取人の声を受信して、音声再生部３６により再生する。
払込人は受取人の声を確認し、図２に示す（Ｓ２０９）〜（Ｓ２１３）にしたがって送金処理を行う。
このように、第２の実施の形態によれば、払込人により遠隔操作されたＡＴＭ１が受取人に現金を払い出すため、容易に送金処理を行うことができる。
【００２３】
さらに、金融機関に口座を持たない受取人に対しても送金処理を行うことができる。
第３の実施の形態
第３の実施の形態は、払込人が受取人を確認するための認識情報を受取人の画像としたものである。
【００２４】
図４は第３の実施の形態における現金自動取引システムの構成を示す説明図である。
図４に示すように、第３の実施の形態の構成は、第１の実施の形態の構成において、ＡＴＭ１に画像取得部３７を加えたものである。
画像取得部３５は、例えば、カメラであり、受取人の画像を取得するものである。
【００２５】
なお、端末２の表示部２２は、画像取得部３５により取得された画像の表示が可能であるものとする。
以下に、上述した構成による本実施の形態の作用について説明する。
すなわち、図２に示すフローチャートにおいて、（Ｓ２０５）の受取人と払込人の接続が確立された後、ＡＴＭ１の画像取得部３７により受取人の画像が取得される。
【００２６】
取得された受取人の画像は、ＡＴＭ１の送信部１１により端末２に送信される。
端末２の受信部２４は、ＡＴＭ１から送信された受取人の画像を受信して、表示部２２により再生する。
払込人は受取人の画像を確認し、図２に示す（Ｓ２０９）〜（Ｓ２１３）にしたがって送金処理を行う。
【００２７】
このように、第３の実施の形態によれば、払込人により遠隔操作されたＡＴＭ１が受取人に現金を払い出すため、容易に送金処理を行うことができる。
さらに、金融機関に口座を持たない受取人に対しても送金処理を行うことができる。
なお、上述した第１から第３の本実施の形態では、認識情報を暗証番号、受取人の声および画像として説明したが、これに限定されず、アイリスや指紋を用いて受取人の確認を行ってもよい。
【００２８】
【発明の効果】
以上説明したように、本発明によれば、送金処理を容易に行うことができる。さらに、金融機関の口座を持たない受取人に対しても送金処理が可能である。
【図面の簡単な説明】
【図１】第１の実施の形態における現金自動取引システムの構成を示す説明図
【図２】本発明における送金処理を示すフローチャート
【図３】第２の実施の形態における現金自動取引システムの構成を示す説明図
【図４】第３の実施の形態における現金自動取引システムの構成を示す説明図
【図５】従来技術における送金処理を示す説明図
【符号の説明】
１  ＡＴＭ
２  端末
３  接続システム
６  入力部
７  表示部
８  支払い処理部
９  記憶部
１１  送信部
１２  受信部
１３  通信手段
１４  制御部
２１  入力部
２２  表示部
２３  送信部
２４  受信部
２５  通信手段
２６  制御部
３０  接続特定部
３５  音声取得部
３６  音声再生部
３７  画像取得部
【図１】
0003928779.tif 000002
【図２】
0003928779.tif 000003
【図３】
0003928779.tif 000004
【図４】
0003928779.tif 000005
【図５】
0003928779.tif 000006